(57)【要約】【目的】  各液体で異なる最適噴射流量をノズル手元の流量調整バルブにて簡単に設定できるようにする。【構成】  大流量の高圧空気と小流量の各種液体を混合して噴射する気液混合流噴射装置であって、ノズル１９手元に設けた流量調整バルブ１８にて液体の流量を調整する場合、管路途中に設けたフローセンサー１４により検出される液体の流量が最適流量になったとき、操作部２に設けた報知手段３２〜３５によりその旨報知するようにした気液混合流噴射装置。【選択図】  図３
2006075778.tif 000002
【特許請求の範囲】
【請求項１】
２種類以上の小流量液体を切り換えてポンプで圧送し、圧縮空気供給源から送出される大流量圧縮空気と混合してノズルより噴射させる方式の気液混合流噴射装置において、
前記ノズル近傍に配設され、噴射する液体の流量を調整する流量調整バルブと、ポンプの上流側に設けられ、圧送される液体の流量を検出するフローセンサーと、該フローセンサーで検出される流量に基づき、各液体毎の最適噴射流量を報知する報知手段とを備えたことを特徴とする気液混合流噴射装置。
【請求項２】
前記報知手段は、流量値を表示する表示器であることを特徴とする請求項１記載の気液混合流噴射装置。
【請求項３】
前記報知手段は、噴射流量が最適であることを報知する表示器であることを特徴とする請求項１記載の気液混合流噴射装置。
【請求項４】
前記報知手段は、噴射流量が最適であることを報知する発音器であることを特徴とする請求項１記載の気液混合流噴射装置。
【発明の詳細な説明】
【技術分野】
【０００１】
本発明は、水・ケミカル類等のそれぞれ異なる２種類以上の小流量液体を切り換えてポンプで圧送し、大流量圧縮空気と混合してノズルにより噴射させる方式の気液混合流噴射装置に関するものである。
【背景技術】
【０００２】
従来より、水・ケミカル類等のそれぞれ異なる２種類以上の小流量液体を切り換えてポンプで圧送し、大流量圧縮空気と混合してノズルにより噴射させる方式の気液混合流噴射装置が下記特許文献１に記載されている。
【特許文献１】特開２０００−０９３９０４号公報
【発明の開示】
【発明が解決しようとする課題】
【０００３】
しかしながら、特許文献１の装置では、各液体の流量調整をポンプの上流側、つまり装置本体内に設けられた各液体毎の流量調整弁にて流量を調整するようになっており、これでは液体を載せ替える度に各液体を順次ノズルより噴射させ、本体内の各流量調整弁にて流量を調整しながら最適な流量にしなければならず、面倒であり、時間もかかるものであった。
【０００４】
また、流量調整弁にて調整する流量はノズルから噴射される液体の状態を目視にて確認する流量であるため、最適な流量であるかは作業者には不明で、使い慣れた者が調整する場合には、経験と勘である程度の流量調整はできるが、初めて使用する場合には、困難を極めるものであった。
【０００５】
このような課題を解決するために本発明は、２種類以上の小流量液体を切り換えてポンプで圧送し、圧縮空気供給源から送出される大流量圧縮空気と混合してノズルより噴射させる方式の気液混合流噴射装置において、前記ノズル近傍に配設され、噴射する液体の流量を調整する流量調整バルブと、ポンプの上流側に設けられ、圧送される液体の流量を検出するフローセンサーと、該フローセンサーで検出される流量に基づき、各液体毎の最適噴射流量を報知する報知手段とを備えた気液混合流噴射装置を提供することを要旨とするものである。
【０００６】
前記報知手段を、流量値を表示する表示器とすれば、好ましい態様となる。
【０００７】
前記報知手段を、噴射流量が最適であることを報知する表示器とすれば、好ましい態様となる。
【０００８】
前記報知手段を、噴射流量が最適であることを報知する発音器とすれば、好ましい態様となる。
【発明の効果】
【０００９】
本発明の装置は、圧縮空気と混合して噴射される液体の流量を手元で調整でき、また、液体毎に異なる最適な流量が都度作業者に報知されるので、作業者はそれに従って簡単かつ正確に流量調整ができ、最適な噴射が誰でも行えるようになる。
【実施例】
【００１０】
以下、図面を基に、本発明の実施例について説明する。図１は本発明の実施例の全体構成図である。図において、１は装置本体で、本体内上部には噴射する液体の切替や装置の駆動・停止を行うためのスイッチ類及び後述する最適流量を報知する報知手段等で構成される操作部２が設けてあり、底部には給水源３と接続されフロート給水弁４により常時水位が一定に保たれるようになっている水タンク５とケミカル入りタンク６〜８が設けてある。
【００１１】
それぞれのタンク内には吸込管路９が分岐され電磁弁１０〜１３を介して挿入されており、吸込管路９の他方は吐出される液体の流量を検出するフローセンサー１４を介してポンプ１５の吸込側に接続されている。そして、ポンプ１５の吐出側には吐出管路１６が接続されており、逆流防止用の逆止弁１７を介し、流量調整バルブ１８を備えた手元開閉弁付ノズル１９が接続されている。
【００１２】
また、ポンプ１５の吐出側と吸込側とにはそれぞれを連通する帰還管路２０が設けてあり、途中に流量調整可能なアンローダーバルブ２１を介して、流量調整バルブ１８が閉じられた時に余水を流してポンプ１５にかかる負荷を軽減させるようになっている。
【００１３】
ノズル１９には、圧縮空気供給源２２から圧縮空気が送り込まれるように、空気管路２３が、逆流防止用の逆止弁２４を介して、ノズル１９と流量調整バルブ１８との間に接続されており、ポンプ１５から圧送される液体と混合されノズル１９より噴射されるようになっている。
【００１４】
２５はリレーやマイコンからなる制御手段であり、操作部２やフローセンサー１４からの信号を受け、ポンプ１５や各電磁弁を制御できるようになっている。
【００１５】
図２はノズル１９の要部断面図で、噴射口２６には、それを覆うように所定長さの可撓性チューブ２７が密着固定され、また噴射口根元部にはラッパ状をなすガイド管２８が螺着されており、流体が噴射口２６より噴射されると、チューブ２７がガイド管２８内壁に沿って高速で旋回するようになっている。このように構成されたノズルを使用することにより、洗浄に使用すると、強力な洗浄力を得ることができ、またケミカルの噴霧に使用すると、噴霧される流体が微粒子となり、良好な噴霧効果を得ることができるようになる。しかしながら、ノズルはこれに限定されるものではなく、ワンタッチカプラ２９により種々のノズルに変更可能となっている。
【００１６】
図３は操作部詳細図で、ポンプのオン、オフを切り換えるポンプスイッチ３０と、噴射する液体を選択する液選択スイッチ３１が配設されており、それぞれロータリースイッチで切換可能になっている。また、液選択スイッチ３１周囲には、液体毎にＬＥＤ３２〜３５が設けてあり、選択された液体が最適な噴射流量になったとき点灯するようになっている。
【００１７】
ところで、本実施例ではＬＥＤの点灯により最適噴射流量になったことを作業者に知らせるようにしてあるが、他の例として、噴射流量を数値で表示する表示器を別に設けるようにすれば、最適噴射流量が異なる消臭剤や殺菌剤等の洗浄剤以外のものに入れ替えた時でも対応できるようになり、また、発音器により音や音声を出力するようにして最適噴射流量になったことを報知するようにすれば、流量調整を操作部２を見なくとも行えるようになり、噴射先を確認しながら行え、余計な所に液体をまき散らすことがなくなる。
【００１８】
次に洗浄動作を説明する。
【００１９】
まず、作業者は操作部２の液選択スイッチ３１にて水を選択し、続けてポンプスイッチ３０をオンする。すると、その信号を受けた制御手段２５は電磁弁１０を開放し、ポンプ１５を駆動させる。この状態で、作業者がほどなくノズル１９を構え、ノズル先端を洗浄対象物に向けて手元開閉弁を開放すれば、大流量の圧縮空気と共に小流量の水が高圧で噴射される。
【００２０】
この時、作業者は、流量調整バルブ１８の開度を調整していくと、その流量変化がフローセンサー１４により検出され、その信号が制御手段２５に導入されて、制御手段２５ではその信号に基づき、最適流量か否かを判断し、最適流量に達した時点でＬＥＤ３２を点灯させるので、作業者はその点灯を確認し最適流量になったとして、水での予備洗浄を開始する。
【００２１】
水での予備洗浄が終了したら、操作部２の液選択スイッチ３１で泡を選択する。するとその信号を受けた制御手段２５は、電磁弁１０を閉じ、かわりに電磁弁１１を開放して、泡洗剤が噴射できる状態とする。そして作業者はノズル１９の手元開閉弁を開いて泡洗剤での本洗浄を行う。この時も、先程の水噴射時と同様に、ＬＥＤ３３を見ながら流量調整バルブ１８を調整して最適流量としておくことにより、空気と混合され、クリーミーで泡潰れが殆どなく、見た目も頗る良い状態の泡洗剤が洗浄対象物に吹き付けられることになる。
【００２２】
本洗浄が終了したら、泡洗剤を汚れと共に洗い流すため、操作部２の液選択スイッチ３１で消泡剤を選択する。するとその信号を受けた制御手段２５は、電磁弁１１を閉じ、かわりに電磁弁１２を開放して、消泡剤が噴射できる状態とする。そして作業者はノズル１９の手元開閉弁を開いて消泡剤での濯ぎを行う。この時も、先程の水噴射時と同様に、ＬＥＤ３４を見ながら流量調整バルブ１８を調整して最適流量としておくことにより、噴射される消泡剤は、消泡効果に優れ、迅速に濯ぎが行える状態となる。
【００２３】
濯ぎが終了したら、ワックスを噴霧して仕上げを行うため、操作部２の液選択スイッチ３１でワックスを選択する。するとその信号を受けた制御手段２５は、電磁弁１２を閉じ、かわりに電磁弁１３を開放して、ワックスが噴射できる状態とする。そして作業者はノズル１９の手元開閉弁を開いてワックスを噴霧して仕上げる。この時も、先程の水噴射時と同様に、ＬＥＤ３５を見ながら流量調整バルブ１８を調整して最適流量としておくことにより、噴射されるワックスは、洗浄対象物への密着性に優れ、ワックス効果が長期継続される状態となる。
【００２４】
以上のようにして各液体に最適な流量調整が手元で行え、効率の良い洗浄が可能となるのである。
【図面の簡単な説明】
【００２５】
【図１】本発明の一実施例である装置の全体構成図である。
【図２】同装置のノズル要部断面図である。
【図３】同装置の操作部詳細図である。
【符号の説明】
【００２６】
１  本体
２  操作部
５  水タンク
６  泡洗剤タンク
７  消泡剤タンク
８  ワックスタンク
１０〜１３  電磁弁    
１４  フローセンサー
１５  ポンプ
１８  流量調整バルブ
３２〜３５  ＬＥＤ
【図１】
2006075778.tif 000003
【図２】
2006075778.tif 000004
【図３】
2006075778.tif 000005